(57)【要約】【課題】棚の内部にごみなどがたまることを防止するとともに、十分な強度を備えた机を提供する。【解決手段】天板と、床面に起立し、天板を支持する支持体と、天板の下方に配置され、複数の貫通孔と複数の底面補強リブが設けられた底面部と、底面部の左右両端から上方に向かって起立する側面部と、底面部より肉厚に構成された肉厚部とを備える収納棚とからなる机である。【選択図】図２
2015047269.tif 000002
【特許請求の範囲】
【請求項１】
天板と、
床面に起立し、前記天板を支持する支持体と、
前記天板の下方に配置され、複数の貫通孔と複数の底面補強リブが設けられた底面部と、該底面部の左右両端から上方に向かって起立する側面部と、前記底面部より肉厚に構成された複数の肉厚部とを備える収納棚と
からなる机。
【請求項２】
前記肉厚部は、前記底面部と前記側面部との接合部分に設けられている
請求項１に記載の机。
【請求項３】
前記底面補強リブは、前記底面部において左右方向に沿って設けられ、前記肉厚部に繋がるように構成されている
請求項１に記載の机。
【請求項４】
前記底面補強リブは、前記底面部から上方に突出するように形成されるとともに、前記収納棚の後方から前方に進むにつれて高さが高くなるように形成されている
請求項１に机。
【請求項５】
前記収納棚の前記底面部から上方に向けて突出する突起部をさらに備える
請求項１に記載の机。
【請求項６】
連なる複数の前記貫通孔により貫通孔群が構成され、該貫通孔群が所定の間隔を空けて前記底面部に設けられており、
前記底面補強リブは、前記貫通孔群の間に設けられている
請求項１に記載の机。
【請求項７】
前記収納棚は透明材料または半透明材料により構成されている
請求項１に記載の机。
【請求項８】
前記支持体に、スタッキング時に他の机との接触による損傷を防止する保護部が設けている
請求項１に記載の机。
【請求項９】
天板と、
床面に起立し、前記天板を支持する支持体と、
前記天板の下方に配置され、複数の貫通孔と複数の底面補強リブが設けられた底面部と、該底面部の左右両端から上方に向かって起立する側面部とを備える収納棚と
からなる机。
【発明の詳細な説明】
【技術分野】
【０００１】
本発明は、机に関する。
【背景技術】
【０００２】
主に学校、塾などの教育機関などで用いられる机は、通常、筆記用具や書籍などを載置することが可能な天板と、その天板を支持する脚フレームと、筆記用具や書籍などを収納するための棚とから構成されている。そして、軽量化を図るために棚の底面に複数の孔が設けられた机が提案されている（特許文献１）。
【先行技術文献】
【特許文献】
【０００３】
【特許文献１】特開２０１０−９９３５０号公報
【発明の概要】
【発明が解決しようとする課題】
【０００４】
しかし、そのような机には、長期間使用を続けると棚の内部にごみなどがたまってしまうという問題がある。また、棚に複数の孔を設けることにより棚の強度が落ちてしまうという問題もある。
【０００５】
本発明はこのような問題点に鑑みなされたものであり、棚の内部にごみなどがたまることを防止するとともに、十分な強度を備えた棚を備える机を提供することを目的とする。
【課題を解決するための手段】
【０００６】
上述した課題を解決するために、本発明は、天板と、床面に起立し、天板を支持する支持体と、天板の下方に配置され、複数の貫通孔と複数の底面補強リブが設けられた底面部と、底面部の左右両端から上方に向かって起立する側面部と、底面部より肉厚に構成された肉厚部とを備える収納棚とからなる机である。
【発明の効果】
【０００７】
本発明によれば、机に設けられた棚の強度を保ちつつ、棚の内部にごみなどがたまることを防止することができる。なお、ここに記載された効果は必ずしも限定されるものではなく、明細書中に記載されたいずれかの効果であってもよい。
【図面の簡単な説明】
【０００８】
【図１】図１は、本発明の実施例に係る机の外観構成を示す斜視図である。
【図２】図２は、机の分解斜視図である。
【図３】図３Ａは、机の側面図であり、図３Ｂは、机の上面図である。
【図４】図４は、収納棚の上面図である。
【図５】図５Ａは、図４における収納棚のＶーＶ断面図であり、図５Ｂは、収納棚の側面図であり、図５Ｃは、収納棚を積み重ねた場合の一部拡大図である。
【図６】図６Ａは、図４におけるＶＩａーＶＩａ断面図であり、図６Ｂは、図４におけるＶＩｂーＶＩｂ断面図である。
【図７】図７は、机を積み重ねた状態を示す斜視図である。
【図８】図８は、積み重ねた２つの机を一組とし、２組の机を組み合わせた状態を示す斜視図である。
【発明を実施するための形態】
【０００９】
以下、本発明の実施の形態について図面を参照しながら説明する。ただし、本発明は以下の実施例のみに限定されるものではない。なお、説明は以下の順序で行う。
＜１．実施の形態＞
＜２．変形例＞
【００１０】
＜１．実施の形態＞
図１は、本発明に係る机１０の外観構成を示す斜視図である。図２は、机１０の分解斜視図である。図３Ａは机１０の側面図であり、図３Ｂは、机１０の上面図である。
【００１１】
机１０は、例えば、天板１００、天板１００を下から支持する支持フレーム２００、内部に物品を収納可能な収納棚３００、鞄などの物品を吊持するためのフック４００とから構成されている。この机１０は、主に学校、塾などの教育機関などで用いられる学習机である。なお、以下の説明においては、図１における右下方向（収納棚３００の開口側）を机１０の前方、左上方向を机１０の後方として説明を行う。
【００１２】
天板１００は、例えば、木材からなり、平面視略長方形状の平板として構成されている。使用者は、天板１００上に筆記用具、書籍などの物品を載置することができる。
【００１３】
支持フレーム２００は、床面に起立し、天板１００および収納棚３００を下から支持するものである。支持フレーム２００は、特許請求の範囲における支持体に相当するものである。支持フレーム２００は、左右一対の脚フレーム２１０、２１０と、その一対の脚フレーム２１０間に渡設されている補強フレーム２２０とから構成されている。
【００１４】
脚フレーム２１０は、例えば、スチールなどの金属製であり、内部が中空の管状のパイプにより構成されている。脚フレーム２１０を内部が中空のパイプで構成することにより、脚フレーム２１０の軽量化を図ることができる。脚フレーム２１０は、例えば、一本のパイプを折り曲げることにより構成されている。
【００１５】
一対の脚フレーム２１０は、それぞれ、床面に接地する接地フレーム部２１１と、接地フレーム部２１１の後端から第１屈曲部２１２を介して上方に向けて延出する縦フレーム部２１３と、縦フレーム部２１３の先端から第２屈曲部２１４を介して前方に向けて延出する水平フレーム部２１５により、側面視略コ字状に構成されている。
【００１６】
図３Ｂの上面図において、破線で表されているのが天板１００の下に位置する支持フレーム２００である。なお、図３Ｂにおいては説明の便宜上、収納棚３００は省略してある。図３Ｂに示されるように、支持フレーム２００の接地フレーム部２１１は、上面視略く字状に構成されている。これにより、一対の水平フレーム部２１５間の距離よりも一対の接地フレーム部２１１間の距離が長くなるように構成されている。
【００１７】
水平フレーム部２１５は、天板１００および収納棚３００を下から支持するものである。一対の水平フレーム部２１５には、それぞれ、水平フレーム部２１５を上下方向に貫通する複数のフレーム側挿通孔２１６が穿設されている。このフレーム側挿通孔２１６に下方からねじなどを挿入することにより、天板１００および収納棚３００が水平フレーム部２１５上に固定されることになる。なお、天板１００、収納棚３００、支持フレーム２００を固定する手段はねじに限られるものではなく、接着などの手段を用いてもよい。接着により天板１００、収納棚３００、支持フレーム２００を固定する場合には、フレーム側挿通孔２１６は不要である。
【００１８】
また、一対の水平フレーム部２１５の内側面には、それぞれ、フック４００を掛止させるためのフック掛止孔２１７が穿設されている。フック掛止孔２１７は、２つの孔を一組として、２つの孔で一つのフック４００を支持する構成となっている。なお、フック掛止孔２１７は、左右一対の水平フレーム部２１５の両方に設けられてもよいし、どちらか一方にのみ設けられてもよい。
【００１９】
一対の脚フレーム２１０間には、脚フレーム２１０を連結させ、その強度を高めるための補強フレーム２２０が渡設されている。これにより、一対の脚フレーム２１０は一体的に構成されている。補強フレーム２２０は例えば、溶接などの手段により一対の脚フレーム２１０間に渡設されている。補強フレーム２２０を設けることにより、脚フレーム２１０を起立させ、さらに脚フレーム２１０の左右方向へのがたつきを抑制することができる。
【００２０】
脚フレーム２１０の縦フレーム部２１３には、縦フレームカバー５００が設けられている。縦フレームカバー５００は、例えばゴムなどの弾性樹脂により構成されている。
【００２１】
接地フレーム部２１１の後端には、床面を傷つけることを防止するための弾性樹脂からなる第１接地フレームカバー５１０が設けられている。また、接地フレーム部２１１の先端には、床面を傷つけることを防止するための弾性樹脂からなる第２接地フレームカバー５２０が取り付けられている。
【００２２】
第１接地フレームカバー５１０および第２接地フレームカバー５２０は、例えば、接地フレーム部２１１の両端に嵌め合わされた状態でねじなどにより固定されている。なお、接地フレーム部２１１の先端に第２接地フレームカバー５２０を設けることにより、使用者が足などを接地フレーム部２１１の先端にぶつけて負傷してしまうことも防止することができる。
【００２３】
収納棚３００は、例えば、合成樹脂材料を用いた一体成形品により構成されている。収納棚３００は、天板１００の下に位置するように設けられており、使用者が筆記用具、書籍などの物品を収納するためのものである。
【００２４】
収納棚３００は、上面が物品を載置するための載置面となっている略長方形状の底面部３１０を備える。底面部３１０の左右両端には、左右外側に向かってわずかに傾斜しながら上方に向かって起立する一対の側面部３２０が設けられている。さらに、底面部３１０の後端には、後方に向かってわずかに傾斜しながら上方に向かって起立する背面部３３０が設けられている。収納棚３００は、底面部３１０、側面部３２０および背面部３３０により、上方および前方が開口した略箱状に構成されている。なお、側面部３２０の前方端３２１は、外側に開く方向に屈曲するように構成されている。これにより、収納棚３００の開口が広くなり、使用者が収納棚３００内に物品を入れやすくなる。
【００２５】
なお、側面部３２０および背面部３３０が外側上方に向かってわずかに傾斜しながら起立するように構成されていることにより、収納棚３００のみを部材として輸送する場合に収納棚３００を積み重ねることが可能となる。
【００２６】
収納棚３００の側面部３２０および背面部３３０の上端には、側面部３２０および背面部３３０の全長にわたって水平方向外側に向かって延出する縁部３４０が設けられている。側面部３２０の上端および背面部３３０の上端から延出する縁部３４０の上面は連なって同一面となるように構成されている。
【００２７】
縁部３４０は、脚フレーム２１０の水平フレーム部２１５上に載り、天板１００の底面に接することによって、天板１００を下から支持するようになっている。天板１００と水平フレーム部２１５との間に縁部３４０が介在した状態で、天板１００、収納棚３００および支持フレーム２００は一体的に接続される。
【００２８】
縁部３４０には、複数の棚側挿通孔３５０が設けられている。棚側挿通孔３５０と、水平フレーム部２１５に設けられたフレーム側挿通孔２１６とにねじなどを通して天板１００にそのねじを螺合させることにより、天板１００、収納棚３００および支持フレーム２００が一体的に接続される。
【００２９】
図４は、収納棚３００の上面図である。また、図５Ａは、図４におけるＶーＶ断面図であり、図５Ｂは、収納棚３００の側面図である。図５Ｃは、収納棚３００のみを積み重ねた状態を示す正面視における一部拡大図である。図６Ａは、図４におけるＶＩａーＶＩａ断面図であり、図６Ｂは、図４におけるＶＩｂーＶＩｂ断面図である。図４および図５Ａに示されるように、収納棚３００の底面部３１０には、収納棚３００の内外を連通させる複数の貫通孔３１１が穿設されている。貫通孔３１１は、横長の略長方形状に形成されている。ただし、貫通孔３１１の形状は、それに限られるものではなく、他の形状、例えば、略正方形状、円形状でもよい。
【００３０】
本実施の形態においては、貫通孔３１１は、底面部３１０の左右方向に沿って一端側から他端側にかけて連なる８個≡３列の合計２４個をひとまとまりの貫通孔群３１２として設けられている。そして、４つの貫通孔群３１２が所定の間隔を空けて前後方向に並んで設けられている。ただし、この貫通孔３１１の形状、数、配置はあくまで一例であり、これに限定されるものではない。
【００３１】
収納棚３００の底面部３１０に複数の貫通孔３１１を設けることによって、収納棚３００内のごみが貫通孔３１１から下に落ちることになる。これにより、収納棚３００内を清潔に保つことができる。さらに、収納棚３００の底面部３１０に貫通孔３１１を設けることにより、収納棚３００の軽量化を図ることもできる。
【００３２】
なお、貫通孔３１１のサイズ、貫通孔３１１による底面部３１０における開口率は、収納棚３００内に収納する筆記用具や書籍などが落ちることが無く、かつ、収納棚３００の強度をある程度保つことができる範囲内でできるだけ大きくするとよい。貫通孔３１１をできるだけ大きく構成することにより、収納棚３００内のごみを落としやすくすることができ、収納棚３００のさらなる軽量化も図ることができる。
【００３３】
貫通孔群３１２は、一定の間隔を空けつつ、底面部３１０全体に均等に配置されるように設けられている。これにより、収納棚３００内の一部にごみが残ってしまうということを防止することができる。
【００３４】
貫通孔群３１２は、一定の間隔を空けて設けられており、各貫通孔群３１２の間には、リブ状に形成された底面補強リブ３１３が設けられている。図５Ａに示されるように、底面補強リブ３１３は、底面部３１０における貫通孔３１１が設けられている面より垂直方向において高い位置に設けられるように構成されている。底面補強リブ３１３を設けることにより、貫通孔３１１が多数設けられている収納棚３００の強度を高めることができる。また、図５Ａに示されるように、底面補強リブ３１３は、傾斜を有し、収納棚３００の後方から前方（開口側）に進むにつれて高くなっていくように構成されている。これにより、収納棚３００に収納した物品が不用意に収納棚３００から出てしまうことを防止することができる。
【００３５】
図５Ｂに示されるように、収納棚３００の一対の側面部３２０のそれぞれには、複数のスタッキング用リブ３２２が設けられている。スタッキング用リブ３２２は、側面部３２０から外側方向へ向けて突出するように突起状に構成されている。収納棚３００を積み重ねると、図５Ｃに示されるように、下に位置する収納棚３００の縁部３４０が上に位置する収納棚３００のスタッキング用リブ３２２が引っ掛かり、収納棚３００同士が嵌り過ぎてしまうことがない。これにより、収納棚３００を積み重ねた際に、収納棚３００同士が嵌り過ぎて外しにくくなることを防止することができる。なお、図５Ｂにおいては、スタッキング用リブ３２２は６個設けられているが、スタッキング用リブ３２２の数はそれに限定されるものではない。
【００３６】
図６Ａに示されるように、棚３００の底面部３１０と側面部３２０との接合部分は肉厚部３６０として構成されている。肉厚部３６０は、底面部３１０、側面部３２０の厚さに比べて肉厚になるように形成されている。図４および図６Ａに示されるように、肉厚部３６０は、底面部３１０において左右方向に沿って設けられている底面補強リブ３１３の両端に繋がるように構成されている。肉厚部３６０を設けることにより、収納棚３００の強度をより高めることができる。収納棚３００の強度を高めることにより、下から衝撃を受けた場合や机１０を積み重ねた場合における収納棚３００の変形、破損などを防止することができる。
【００３７】
さらに、図６Ｂに示されるように、収納棚３００の底面部３１０には、複数の突起部３７０が設けられている。突起部３７０は、貫通孔群３１２内における貫通孔３１１と貫通孔３１１との間において、長さ方向が、底面補強リブ３１３に対して直交する方向に沿うように設けられている。
【００３８】
また、突起部３７０は、底面補強リブ３１３をつなぐように貫通孔群３１２の幅と略同等の長さを有するように構成されている。また、突起部３７０は、底面補強リブ３１３の傾斜に合うように傾斜を有し、収納棚３００の後方から前方（開口側）に進むにつれて高くなっていくように構成されている。図５Ａに示されるように、底面補強リブ３１３の上面と突起部３７０の上面により、収納棚３００内には、側面視において後方から前方（開口側）に進むにつれて高くなるように傾斜する載置面が形成される。突起部３７０は、底面補強リブ３１３間をつなぐ役割を果たし、側面視凸状である底面補強リブ３１３により形成される段差に物品が引っかかりにくくするためのものである。突起部３７０を設けることにより、底面補強リブ３１３により形成される段差に引っかかることなく物品の出し入れが可能となる。なお、図４に示されるように、本実施の形態においては、突起部３７０は、棚３００の前方側（開口側）の２つの貫通孔群３１２内における貫通孔３１１間に設けられている。ただし、突起部３７０の数、位置はこれに限定されるものではない。
【００３９】
収納棚３００は、例えば、透明または半透明の合成樹脂により形成されている。これにより、使用者は、側面部３２０側または背面部３３０側の外からでも収納棚３００の内部を目視で確認することができる。よって、例えば、不審物、忘れ物の確認などを容易に行うことができる。
【００４０】
なお、収納棚３００の透明度は特定の度合いに限定されるものではないが、目視することにより収納棚３００の内部を確認できる程度の透明度であることが望ましい。透明または半透明の合成樹脂としては例えば、ポリプロピレン、アクリル樹脂などを用いることができる。
【００４１】
天板１００の面積に対して収納棚３００の底面部３１０の面積が小さすぎると、側面または背面から収納棚３００を見た際に、収納棚３００が遠くなってしまい、収納棚３００の内部を目視で確認することが困難となる。また、天板１００の影により収納棚３００の内部が見えにくくなってしまうこともある。そこで、収納棚３００の底面部３１０の面積と天板１００の面積とが略同等となるように構成することにより、外からでも収納棚３００の内部を目視で容易に確認することが可能となる。
【００４２】
図２に示されるように、フック４００は、例えば金属などからなる一本の線材を屈曲形成することにより構成されている。フック４００は、使用者の鞄などの物品を吊持する、側面視略コ字状、正面視逆さＵ字状に構成された吊持部４１０と、この吊持部４１０の両端を略水平方向に屈曲させることで形成された掛止部４２０とから構成されている。フック４００は、支持フレーム２００のフック掛止孔２１７に掛止部４２０を挿入することにより、支持フレーム２００に取り付けられる。
【００４３】
本実施の形態に係る机１０は以上のように構成されている。次に、この机１０の組立方法の一例について説明する。この机１０を組み立てるには、まず、プレス加工および溶接などによってあらかじめ形成された支持フレーム２００を床面に起立させておく。次に、支持フレーム２００のフック掛止孔２１７にフック４００の掛止部４２０を引っ掛けておく。
【００４４】
次に、上方より支持フレーム２００上に収納棚３００を降ろして、縁部３４０を一対の水平フレーム部２１５上に載置させる。次に、天板１００を縁部３４０上に載置させる。これにより、収納棚３００の縁部３４０は水平フレーム部２１５と天板１００とにより上下から挟持されることになる。また、フック４００の掛止部４２０は水平フレーム部２１５と収納棚３００の側面部３２０の外側面とにより左右から挟持される。これにより、フック４００が不用意に外れてしまうことがない。
【００４５】
次に水平フレーム部２１５に設けられたフレーム側挿通孔２１６と収納棚３００の縁部３４０に設けられた棚側挿通孔３５０との位置が合うように位置決めを行う。そして、水平フレーム部２１５の下方からフレーム側挿通孔２１６と棚側挿通孔３５０にねじなどを通して天板１００にそのねじを螺合させることにより、水平フレーム部２１５と収納棚３００と天板１００とを共締めにする。なお、水平フレーム部２１５が存在しない収納棚３００の後ろ側においては、縁部３４０の下から棚側挿通孔３５０にねじなどを通して収納棚３００と天板１００とを接続する。このようにして、机１０の組み立てを行うことができる。
【００４６】
図７は、２つの机１０を積み重ねた状態を示す斜視図である。説明の便宜上、上に位置する机を机１０Ａとし、下に位置する机を机１０Ｂとする。このように、机１０Ａと机１０Ｂとを積み重ねることにより、机１０の輸送効率を高めることができる。また、学校などの教育機関において、例えば、机１０が並べられた教室内のスペースを確保する必要が有る場合に机１０を図７に示されるように積み重ねることにより、容易に教室内のスペースを確保することができる。
【００４７】
上述したように、脚フレーム２１０の接地フレーム部２１１は、上面視略く字状に形成され、横方向に広がるように構成されている。これにより、図７に示されるように、高さ方向の位置を合わせて机１０を積み重ねる場合に、上に位置する机１０Ａの接地フレーム部２１１が下に位置する机１０Ｂの縦フレーム部２１３に衝突してしまうことがない。よって、横方向にずらすことなく机１０を積み重ねることができる。
【００４８】
また、上述したように、脚フレーム２１０の縦フレーム部２１３には縦フレームカバー５００が設けられている。これにより、図７において円で囲まれた範囲に示されるように、机１０Ａと机１０Ｂを重ねた際に、上に位置する机１０Ａの支持フレーム２００と下に位置する机１０Ｂの支持フレーム２００とが接触して支持フレーム２００に傷がつくことを防止することができる。
【００４９】
図８は、２つの机１０を積み重ねて一組とし、その机１０の組を抱き合わせて、合計４つの机１０をひとまとめにした状態を示す斜視図である。図８の状態は、図７に示されるように２つの机１０を一組として重ねて、２組の机１０を互いに接地フレーム部２１１側から組み合わせた状態である。机１０を輸送する際に、このように机１０を積み重ねて組み合わせて梱包することにより、輸送効率を高めることができる。また、上述した図７の説明と同様に、机１０を積み重ねて組み合わせることにより、机１０が設置された空間のスペースを確保することも可能である。
【００５０】
支持フレーム２００の縦フレーム部２１３には縦フレームカバー５００が設けられているため、図８において円で囲まれた範囲に示されるように、机１０を組み合わせた状態においても、支持フレーム２００に傷がつくことを防止することができる。
【００５１】
また、上述したように、収納棚３００に底面補強リブ３１３、肉厚部３６０を設けて強度を高めることにより、机１０を積み重ねた際に収納棚３００が変形や破損してしまうことを防止することができる。
【００５２】
さらに、収納棚３００の強度を高めたことにより、収納棚３００のみを部材として輸送する場合に、変形や破損させることなく収納棚３００を積み重ねて輸送することができる。これにより、部材としての収納棚３００の輸送効率を高めることができる。
【００５３】
＜２．変形例＞
以上、本発明の実施の形態について具体的に説明したが、本発明は上述の実施の形態に限定されるものではなく、本発明の技術的思想に基づく各種の変形が可能である。
【００５４】
例えば、支持フレーム２００を構成する脚フレーム２１０は側面視略コ字状のものに限られず、例えば側面視逆さＴ字状、逆さＵ字状、Ｘ字状などの他の形状であってもよい。
【００５５】
実施の形態では、底面補強リブ３１３は底面部３１０における貫通孔３１１が設けられている面より垂直方向において高い位置に設けられているが、底面補強リブ３１３は貫通孔３１１が設けられている面より低い位置に設けられてもよい。
【００５６】
本発明に係る机は、学校などの教育機関用の机に限られず、一般的に教育機関用の机よりも横長である事務用机（オフィスデスク、ビジネスデスク）などにも適用することも可能である。
【符号の説明】
【００５７】
１０・・・・・・机
１００・・・・・天板
２００・・・・・支持フレーム
２１０・・・・・脚フレーム
３００・・・・・収納棚
３１０・・・・・底面部
３１１・・・・・貫通孔
３１２・・・・・貫通孔群
３１３・・・・・底面補強リブ
３２０・・・・・側面部
３３０・・・・・背面部
３６０・・・・・肉厚部
３７０・・・・・突起部
【図１】
2015047269.tif 000003
【図２】
2015047269.tif 000004
【図３】
2015047269.tif 000005
【図４】
2015047269.tif 000006
【図５】
2015047269.tif 000007
【図６】
2015047269.tif 000008
【図７】
2015047269.tif 000009
【図８】
2015047269.tif 000010